(57)【要約】【課題】  インバータ回路でのスイッチングノイズを除去するフィルター回路を電源端子台及び点灯装置とともに器具本体とランプ反射板との金属遮蔽物内に収容する構造としており、インバータ回路で発生するスイッチングノイズはフィルター回路で抑制されるが充分ではなく、特にＶＨＦ帯のテレビに悪影響を及ぼすという問題があった。【解決手段】  器具天板３と反射板２とで形成する金属遮蔽物内にインバータ１２を有する高周波点灯装置を備え、さらに、金属遮蔽物の外部で、電源側に接続される電源線２０に所定の周波数帯域に減衰特性を有するインダクタ１５を接続した。【選択図】        図２
2005276587.tif 000002
【特許請求の範囲】
【請求項１】
インバータとノイズフィルターを備えた高周波点灯装置と、前記高周波点灯装置を固定する器具天板と、放電灯の光を反射する反射板と、放電灯を取り付けるホルダ及びソケットとを備え、
前記反射板は、前記器具天板と協働して金属遮蔽物を形成し、該金属遮蔽物で前記高周波点灯装置を覆うように設けられ、
また、前記金属遮蔽物の外部で、電源側に接続される電源線に所定の周波数帯域に減衰特性を有するインダクタを接続したことを特徴とする高周波点灯照明器具。
【請求項２】
前記高周波点灯装置に接続する電源ソケットを備え、前記インダクタを前記電源ソケット内に設置したことを特徴とする請求項１に記載の高周波点灯照明器具。
【請求項３】
電源側に接続する引掛けシーリングを備え、前記インダクタを前記引掛けシーリング内に設置したことを特徴とする請求項１に記載の高周波点灯照明器具。
【請求項４】
前記インダクタを前記電源ソケットと前記引掛けシーリング間の電源線に設置したことを特徴とする請求項１に記載の高周波点灯照明器具。
【請求項５】
前記インダクタの所定の周波数帯域が、ＶＨＦ帯のローチャネルテレビの周波数帯域であることを特徴とする請求項１〜請求項４のいずれかの請求項に記載の高周波点灯照明器具。
【発明の詳細な説明】
【技術分野】
【０００１】
本発明は、高周波点灯照明器具に関するものであり、特に不要ノイズを抑制した高周波点灯照明器具に関するものである。
【背景技術】
【０００２】
従来の不要ノイズを抑制する照明器具は、整流回路とインバータ回路と放電灯を有した点灯装置と、交流電源と前記点灯装置内の整流回路との間の送り配線をするための電源端子台と、この電源端子台に一体化され、前記点灯装置内のインバータ回路が放射する高周波ノイズを除去するためのフィルター回路とを有して構成され、そして、これらの電源端子台及び点灯装置は器具本体に固設され、また、電源端子台及び点灯装置を覆うようにランプ反射板が器具本体に対して組立てられる（例えば、特許文献１参照）。
【特許文献１】特開２００１−２８４０７１号公報（第６頁、図５、図６）
【発明の開示】
【発明が解決しようとする課題】
【０００３】
上記のように従来の不要ノイズを抑制する照明器具は、インバータ回路でのスイッチングノイズを除去するフィルター回路を電源端子台及び点灯装置とともに器具本体とランプ反射板との金属遮蔽物内に収容する構造としているので、インバータ回路で発生するスイッチングノイズはフィルター回路で抑制されるが充分ではなく、器具本体の板金等で反射する輻射ノイズが電源線にのり外部に漏れ出て、特にＶＨＦ帯のテレビに悪影響を及ぼすという問題があった。
【０００４】
本発明は、上記のような課題を解決するためになされたもので、照明器具のインバータ回路でのスイッチングノイズにより発生する９０〜１０８ＭＨｚ等の高周波ノイズが外部に漏れるのを防止し、ＶＨＦ帯のテレビ等に悪影響を及ぼすのを防止することを目的とする。
【課題を解決するための手段】
【０００５】
本発明に係る高周波点灯照明器具は、インバータとノイズフィルターを備えた高周波点灯装置と、高周波点灯装置を固定する器具天板と、放電灯の光を反射する反射板と、放電灯を取り付けるホルダ及びソケットとを備え、また、反射板は、器具天板と協働して金属遮蔽物を形成し、該金属遮蔽物で高周波点灯装置を覆うように設けられ、さらに、金属遮蔽物の外部で、電源側に接続される電源線に所定の周波数帯域に減衰特性を有するインダクタを接続したものである。
【発明の効果】
【０００６】
本発明に係る高周波点灯照明器具は、器具天板と反射板とで形成する金属遮蔽物内にインバータを有する高周波点灯装置を備え、さらに、金属遮蔽物の外部で、電源側に接続される電源線に所定の周波数帯域に減衰特性を有するインダクタを接続したので、高周波点灯装置のインバータから直接外部に輻射によって放射されようとするノイズは、金属遮蔽物で抑制され、また、電源線から外部の電源側に漏洩しようとするノイズは、電源線に接続されたインダクタにより抑制され、高周波点灯照明器具から外部へのノイズの漏洩は抑制される。
【発明を実施するための最良の形態】
【０００７】
実施の形態１．
図１は、本発明の実施の形態１における吊り下げ形の高周波点灯照明器具の構造を示す図であり、図２は、同じく高周波点灯照明器具の電気回路を示す回路図である。
高周波点灯照明器具においては、図１、図２に示すように、インバータ１２、インバータ１２の電源側に接続したノイズフィルタ１３及びノイズフィルタ１３に接続したプルスイッチ５等を設けたプリント基板７を器具天板３に固定し、蛍光ランプ１側に配置された金属製の反射板２で覆う。即ちこのプリント基板を器具天板３と金属製の反射板２との金属製遮蔽物で覆う。
ここで、インバータ１２は、商用電源を直流電圧に変換し、この直流電圧をスイッチ素子でスイッチングさせ、高周波電圧に変換する。この高周波電圧をバラストチョークを介して、蛍光ランプ１に供給する。そこで、インバータ１２を主要構成要素とし、その他にインバータ１２の電源側に接続したノイズフィルタ１３及びノイズフィルタ１３に接続したプルスイッチ５等をプリント基板７に設けたものが蛍光ランプ１を点灯する高周波点灯装置を構成する。
【０００８】
高周波点灯照明器具のプリント基板７の電源側は、プリント基板７の端部の電源引き込部７ａの接続端子７ｂに電源ソケット６の接触部６ａが接続し、さらに、この電源ソケット６に接続する吊り下げコード１０の先端の引掛けシーリング８により天井等の電源に接続する。
また、プリント基板７の蛍光ランプ１側は、反射板２からランプホルダ１ｂが下方に延設され、先端に蛍光ランプ１を取り付けるランプソケット１ａが設置される。また、プルスイッチ５からは、保安球４、蛍光ランプ１の全点灯または段調光等の切換え用の引きひも５ａが垂れ下がる。また、器具天板３、反射板２及びランプホルダ１ｂ等は下方が開口したセード９で覆われる。
【０００９】
図２に示すように、電源ソケット６内において、電源線２０に、それぞれインダクタ１５を直列に接続する。
図３にインダクタ１５の構造を示す。インダクタ１５は、中心の細長いフェライトコア１５ａに長手方向に巻線１５ｂを施し、全体を絶縁樹脂で覆い、両端から端子線を出したものである。また、図４にその特性図の一例を示す。図に示すように、インダクタ１５は、カットオフ周波数ｆ0を中心に大きな減衰量が得られ、カットオフ周波数ｆ0を不要ノイズの発生最大周波数、最も除去したい周波数に合せる等、不要ノイズの大きさ、帯域幅等により選択使用する。
【００１０】
次に、本実施の形態の高周波点灯照明器具の不要ノイズ抑制について説明する。
インバータ１２の発振周波数は、一般的に５０〜６０ＫＨｚであり、アクティブフィルタの最高周波数は１００ＫＨｚ程度である。これに起因して発生するスイッチングノイズは、インダクタンスとコンデンサから構成されるノイズフィルタ１３で電源線２０側に漏れ出る成分は一応抑制され、法規制は達成するが充分ではない。
プリント基板パターンには、スイッチング素子のスイッチングにより急峻な電流が流れるため、プリント基板パターンがアンテナとなって輻射ノイズが放射され、器具天板３等で反射され電源線２０に乗り、電源線２０から外に漏洩する。この漏洩ノイズの周波数がＶＨＦ帯のローチャネル、即ち、１〜３チャネル（９０〜１０８ＭＨｚ）の周波数を含み、ＶＨＦ帯のテレビに大きな悪影響を及ぼす。
【００１１】
本実施の形態の高周波点灯照明器具においては、プリント基板上で、インダクタンスとコンデンサから構成されるノイズフィルタ１３をインバータ１２の電源側に接続し、これらを器具天板３及び金属製の反射板２で覆い、即ち、金属製遮蔽物で覆い、また、この金属製の遮蔽物（反射板２、器具天板３）の外の電源側の電源ソケット６内にインダクタ１５を設けている。
そこで、インバータ１２に起因するスイッチングノイズはノイズフィルタ１３で抑制され、電源線２０から外に漏洩しようとする漏洩ノイズは、電源ソケット６内で各電源線２０に直列接続されたインダクタ１５により抑制され、また、高周波点灯照明器具から外部の電源への漏洩ノイズは抑制される。
また、インバータ基板７から直接外部に輻射によって漏洩しようとするノイズは、金属製の遮蔽物（反射板２、器具天板３）によって減衰される。
特に、インダクタのカットオフ周波数ｆ0を含めた所定の減衰周波数帯域を、ＶＨＦ帯のローチャネルテレビの周波数帯域に合せることにより、高周波点灯照明器具からのノイズによるＶＨＦ帯のローチャネルテレビへの悪影響を防止できる。
電源ソケット６内にインダクタ１５を設置することは、器具の構造、構成部品等のほとんど修正なしに容易に行うことができる。
【００１２】
実施の形態２．
実施の形態１の高周波点灯照明器具においては、金属製の遮蔽物（反射板２、器具天板３）の外の電源ソケット６内にインダクタ１５を設けた。本実施の形態の高周波点灯照明器具では、インダクタ１５を金属製の遮蔽物（反射板２、器具天板３）の外の電源側の引掛けシーリング８内に設けたものである。その他の構成等は、実施の形態１と同じである。
【００１３】
図５は、インダクタ１５を内部に設けた引掛けシーリングを示す図であり、図５（ａ）は、引掛けシーリングを示す断面図であり、図５（ｂ）は、図５（ａ）のＡ−Ａ線断面図である。これらの図に示すように、電源線２０のそれぞれに直列にインダクタ１５を接続する。このようにしても実施の形態１と同様な効果が得られる。
【００１４】
実施の形態３．
本実施の形態の高周波点灯照明器具においては、インダクタ１５を金属製の遮蔽物（反射板２、器具天板３）の外の電源側の電源ソケット６と引掛けシーリング８との間の電源線２０に、それぞれ、電源線２０に直列に接続したものである。その他の構成等は、実施の形態１と同じである。
図６の回路図に電源線２０に接続したインダクタ１５を示す。また、図７に具体的な構造を示す。インダクタ１５は固定及び絶縁するケースに収納する。
このようにしても、実施の形態１と同様なノイズ抑制効果が得られる。また、インダクタ１５の設置も固定及び絶縁ケースを追加する程度で容易に設置できる。
【００１５】
図８は、本実施の形態の高周波点灯照明器具の例として天井直付照明器具を示す断面図であり、図８（ａ）は、横から見た図であり、図８（ｂ）は、上から見た図である。
馬蹄形のプリント基板７がドーナツ状の金属製の反射板２と円形器具天板３の間に収納され、電源引き込部７ａに電源ソケット６を差し込み、電源ソケット６と引掛けシーリング８の間の電源線２０のそれぞれにインダクタ１５を設置している。なお、実施の形態１、２のように、インダクタ１５は、電源ソケット６または引掛けシーリング８に設けてもよい。
【図面の簡単な説明】
【００１６】
【図１】本発明の実施の形態１における吊り下げ形の高周波点灯照明器具の構造を示す図である。
【図２】図１の高周波点灯照明器具の電気回路を示す回路図である。
【図３】本発明の実施の形態１におけるインダクタの構造を示す図である。
【図４】図３のインダクタの特性図である。
【図５】本発明の実施の形態２のインダクタを設けた引掛けシーリングを示す断面図である。
【図６】本発明の実施の形態３における高周波点灯照明器具の電気回路を示す回路図である。
【図７】本発明の実施の形態３におけるインダクタの接続構造を示す図である。
【図８】本発明の実施の形態３における天井直付照明器具を示す断面図である。
【符号の説明】
【００１７】
１  放電灯、１ａ  ソケット、１ｂ  ホルダ、２  反射板、３  器具天板、６  電源ソケット、８  引掛けシーリング、１２  インバータ、１３  ノイズフィルタ、１５  インダクタ。
【図１】
2005276587.tif 000003
【図２】
2005276587.tif 000004
【図３】
2005276587.tif 000005
【図４】
2005276587.tif 000006
【図５】
2005276587.tif 000007
【図６】
2005276587.tif 000008
【図７】
2005276587.tif 000009
【図８】
2005276587.tif 000010